(57)【特許請求の範囲】
【請求項１】
音源からの音声信号の入力音量レベルを所定増幅率で増幅するように制御してスピーカから音響出力する音声出力制御装置において、
電源オン時の音声信号の入力音量レベルを計測し、上記入力音量レベル及び上記増幅率に基づいてスピーカに対して音声出力される際の電力値を予測し、電源オン時に予測されるスピーカに対する音声出力の上記電力値に応じて音量上昇率を可変制御する制御手段と、
目標値となるユーザ設定の出力音量レベル値に対する音量上昇率のテーブルを音量上昇率に応じて数種類記憶する記憶手段と、を備え、
上記制御手段による上記音量上昇率の可変制御は、上記電源オン時に予測されるスピーカに対する音声出力の上記電力値に応じて上記記憶手段に記憶されたテーブルを切り換えることにより行う
音声出力制御装置。
【請求項２】
上記電源オン時以降であって、上記音源からの複数の音声信号のチャンネル又は入力切換時に、上記制御手段による上記音量上昇率の可変制御が行われる
請求項１に記載の音声出力制御装置。
【請求項３】
上記制御手段は、上記音量上昇率の可変制御の途中で音量キーが操作されたことを検出したとき、上記音量上昇率の可変制御を解除し、上記音量キーにより指定された音量で音声出力するよう制御する
請求項１または２に記載の音声出力制御装置。
【請求項４】
上記テーブルの音量上昇率は、ユーザ設定の出力音量レベル値に至るまで可変される
請求項１に記載の音声出力制御装置。
【請求項５】
音源からの音声信号の入力音量レベルを所定増幅率で増幅するように制御してスピーカから音響出力する音声出力制御方法において、
電源オン時の音声信号の入力音量レベルを計測し、
上記入力音量レベル及び上記増幅率に基づいてスピーカに対して音声出力される際の電力値を予測し、
電源オン時に予測されるスピーカに対する音声出力の上記電力値に応じて音量上昇率を可変制御し、
上記音量上昇率の可変制御は、上記電源オン時に予測されるスピーカに対する音声出力の上記電力値に応じて、記憶手段に数種類記憶された、目標値となるユーザ設定の出力音量レベル値に対する音量上昇率のテーブルを切り換えることにより行う
音声出力制御方法。
【請求項６】
上記電源オン時以降であって、上記音源からの複数の音声信号のチャンネル又は入力切換時に上記各制御動作が行われる
請求項５に記載の音声出力制御方法。
【発明の詳細な説明】
【技術分野】
【０００１】
本発明は、例えば、テレビ受像機における音量レベルの自動制御を行う音声出力制御装置及び音声出力制御方法に関する。
【背景技術】
【０００２】
従来、テレビ受像機など、スピーカから音響出力される音量レベルをアップダウンキーなどで制御している機器では、電源オン時には常に電源オフ時に記憶した音量レベルの音響を出力する制御になっていた。
【０００３】
図２Ａは、従来の電源オン時のミュート解除後の音量動作を示す図である。図２Ａにおいて、Ｔ１時点で電源オンになって、その後Ｔ２時点でオーディオアンプのミュートが解除されると、瞬時にユーザ操作により設定されるユーザ音量値Ｖｕまで音量レベルが上昇されてしまうため、大音量の音響が出力されていた。
【０００４】
また、電源オン時に前回電源オフ時の音量レベルと基準音量レベルとを比較し、前回電源オフ時の音量レベルが基準音量レベルより大きいときは、出力音量レベルを基準音量レベルまで強制的に減少させる音量制御装置が提案されている（特許文献１参照）。
【０００５】
また、音量制御回路と、音量制御回路の出力を電源制御入力によって制御する時定数回路と、時定数回路を通して供給される音量制御回路の出力によって制御される音声増幅器を備えた音量制御回路も提案されている（特許文献２参照）。
【特許文献１】特開２００２−１６４５７号公報
【特許文献２】特開平２−２７７３０６号公報
【発明の開示】
【発明が解決しようとする課題】
【０００６】
しかし、上述した従来の制御では、電源オン時にどれくらいの音量レベルで音響が出力されるかがわからず、突然大きな音量レベルで音響が出力されることや、静かな場所では電源オン時後、一度、所定の音量レベルで音響が出力され、その後、音量レベルを下げる操作をしなければならないため、操作性が低下するという不都合があった。
【０００７】
また、昼間に大きめの音量でテレビを視聴していた場合であって、夜間特に深夜に再び電源を入れるといきなり大きすぎる音声となってしまうという不都合があった。
また、特許文献１に記載の技術では、前回の電源オフ時の音量レベルが基準音量レベルより大きいときは、瞬時に出力音量レベルを基準音量レベルまで強制的に減少させるため、視聴環境に違和感が生じ、視聴品質が低下するという不都合があった。
【０００８】
また、特許文献２に記載の技術では、電源オン時に時定数回路を動作させて音量をゆっくりと上昇させるが、音量レベルの上昇をブラウン管の画面出力に合わせるためのものであり、音量レベルに応じた上昇制御ができない。このため、音量レベルを上げ下げする操作をしなければならないので、操作性が低下するという不都合があった。
【０００９】
そこで、本発明は、電源オン時に大音量の音響が出力されることがなく、操作性及び視聴品質を向上することができる音声出力制御装置及び音声出力制御方法を提供することを目的とするものである。
【課題を解決するための手段】
【００１０】
上記課題を解決し、本発明の目的を達成するため、本発明の音声出力制御装置は、電源オン時の音声信号の入力音量レベルを計測し、音声信号の入力音量レベル及び増幅率に基づいてスピーカに対して音声出力される際の電力値を予測し、電源オン時に予測されるスピーカに対する音声出力の電力値に応じて音量上昇率を可変制御する制御手段と、目標値となるユーザ設定の出力音量レベル値に対する音量上昇率のテーブルを音量上昇率に応じて数種類記憶する記憶手段と、を備えたものである。
ここで、制御手段による音量上昇率の可変制御は、電源オン時に予測されるスピーカに対する音声出力の電力値に応じて記憶手段に記憶されたテーブルを切り換えることにより行う。
【００１１】
また、本発明の音声出力制御方法は、電源オン時の音声信号の入力音量レベルを計測し、音声信号の入力音量レベル及び増幅率に基づいてスピーカに対して音声出力される際の電力値を予測し、電源オン時に予測されるスピーカに対する音声出力の電力値に応じて音量上昇率を可変制御するものである。
ここで、音量上昇率の可変制御は、電源オン時に予測されるスピーカに対する音声出力の電力値に応じて、記憶手段に数種類記憶された、目標値となるユーザ設定の出力音量レベル値に対する音量上昇率のテーブルを切り換えることにより行う。
【００１２】
本発明の音声出力制御装置及び音声出力制御方法は、例えば、テレビ受像機などの音声出力機器において、電源オン時での音声出力の音量上昇率をスピーカに対する音声出力の電力予測値に応じて目標値まで可変制御（徐々に上げる等）することで、大音量による音声出力を防止する機能がある。
【発明の効果】
【００１３】
本発明によれば、電源オン時での音声出力の音量上昇率をスピーカに対する音声出力の電力予測値に応じて目標値まで可変制御するため、電源オン時に大音量の音響が出力されることがなく、操作性及び視聴品質を向上することができる。
【発明を実施するための最良の形態】
【００１４】
以下に、本発明の実施の形態について、適宜、図面を参照しながら説明する。
まず、音声出力の入力音量レベルを計測してから音声出力の電力値を予測するまでの処理の概要について説明する。
図１は、音声出力の電力値Ｗの予測のための信号処理を示す図である。
図１において、この信号処理に適用されるオーディオシステムの信号処理系は、図示しない音源からの複数の音声信号のチャンネル切換を行う音声スイッチ１と、音源からの音声信号の出力音量レベルをゲインＧｖｏｌで増幅する音声アンプ２と、音声アンプ２からの音声信号の出力音量レベルをゲインＧａｍｐで増幅する音声アンプ３と、音声アンプ３からの音声信号による音響を出力するスピーカ４とを有して構成されている。
ここで、例えば、音声アンプ２のゲインＧｖｏｌはユーザ操作により設定されるユーザ音量値Ｖｕまでに至る出力音量レベルを可変制御可能である。また、例えば、音声アンプ３のゲインＧａｍｐは予め要求仕様により設定される出力音量レベルに制御可能である。ゲインＧｖｏｌ、ゲインＧａｍｐはいずれも音声アンプ２、音声アンプ３の増幅率を示している。
【００１５】
上述した信号処理系に対して音声出力の電力値Ｗの予測のための信号処理を制御する制御部は、１４に示すように、電源オン時の音声スイッチ１からの音声信号の入力音量レベルＶｅｎｖを計測し、１５に示すように、入力音量レベルＶｅｎｖ及びゲインＧｖｏｌ、Ｇａｍｐに基づいてスピーカ４に対して音声出力される際の電力値Ｗを予測する。
【００１６】
そして、制御部は、電源オン時に予測されるスピーカ４に対する音声出力の電力値Ｗに応じて音声アンプ２のゲインＧｖｏｌの上昇を可変制御する。つまり、ユーザ操作により設定されるユーザ音量値Ｖｕ（Ｇｖｏｌ）までに至る出力音量レベルが可変制御される。
【００１７】
このとき、制御部は、音声スイッチ１からのチャンネル切換された音声信号に対して、１１で示すように、ミュート１を行うと共に、音声アンプ３からの音声出力される音声信号に対して、１２で示すように、ミュート２を行う。これにより、信号処理系の処理が安定するまで音声信号の出力を一定期間停止し、一定期間経過後に１１で示すミュート１及び１２で示すミュート２を解除して音声信号の出力を開始する。
【００１８】
ここで、１３に示すように、１２で示した音声アンプ３からの音声信号に対するミュート２の解除は、１１で示した音声スイッチ１からの音声信号に対するミュート１の解除よりも遅らせることにより、この計測のための期間に上述した１４で示した電源オン時の音声スイッチ１からの音声信号の入力音量レベルＶｅｎｖの計測を行うようにする。
【００１９】
このようにして、制御部は、音声アンプ２の入力信号レベルＶｅｎｖを計測し、これとユーザ音量値Ｖｕ（Ｇｖｏｌ）からスピーカ４に対する音声出力の電力値Ｗを予測する。なお、スピーカ４に対して音声出力する音声アンプ３に対するミュート２の解除と、その音声信号の入力する音声スイッチ１に対するミュート１の解除に計測のための時間差を持たせ、この計測期間に音声アンプ２の入力信号のレベルＶｅｎｖを計測して音声出力の電力値Ｗを予測するようにして信号処理を行っている。
【００２０】
次に、図１に示した音声出力の電力値Ｗの予測のための信号処理を行い、その後に、電源オン時に予測されるスピーカに対する音声出力の電力値Ｗに応じてゲインＧｖｏｌの上昇を可変制御する信号処理に適用される具体的なオーディオシステムの構成について説明する。
図３は、音声出力の電力値Ｗの予測のための信号処理のブロック図である。オーディオスイッチ３４は図１の音声スイッチ１に、オーディオプロセッサ３５は図１の音声アンプ２に、オーディオアンプ３６は図１の音声アンプ３に、スピーカ３７は図１のスピーカ４に、エンベロープ検出回路３８、マイクロコンピュータ（以下、マイコンという。）３９及びメモリ（ＥＥＰＲＯＭ（electrical erasable programmable read only memory））４３は図１で説明した制御部にそれぞれ対応している。また、ＴＶ３１、ＶＣＲ（video cassette recorder）３２及びＤＶＤ（digital versatile disc）３３は音源である。
【００２１】
図３において、マイコン３９には、エンベロープ検出回路３８が設けられていて、エンベロープ検出回路３８は、電源オン時のオーディオスイッチ３４からの音声信号の入力音量レベルＶｅｎｖを計測して、計測した入力音量レベルＶｅｎｖをマイコン３９に供給する。
【００２２】
マイコン３９は、入力音量レベルＶｅｎｖの数値化処理を行うＶｅｎｖ数値化処理部４０と、入力音量レベルＶｅｎｖ及びゲインＧｖｏｌ、Ｇａｍｐに基づいてスピーカ３７に対して音声出力される際の電力値Ｗを予測する音声出力の電力値Ｗ算出部４１と、電源オン時に予測されるスピーカ３７に対する音声出力の電力値Ｗに応じてゲインＧｖｏｌの上昇をテーブル制御により可変制御する音量上昇制御部４２を機能として有している。
【００２３】
また、マイコン３９には、メモリ（ＥＥＰＲＯＭ）４３が設けられている。このメモリ（ＥＥＰＲＯＭ）４３は、ユーザ音量値Ｖｕまで音量レベルを上昇させるための上昇を可変制御可能なテーブルを記憶するユーザ音量値Ｖｕ保存部４４を有している。ここでは、ユーザ音量値Ｖｕはオーディオプロセッサ３５のゲインＧｖｏｌに対してユーザ操作により設定されたものである。また、テーブルは音量レベル及び音声出力の電力値Ｗに対応して複数設けられている。
【００２４】
エンベロープ検出回路３８から、計測した電源オン時のオーディオスイッチ３４からの音声信号の入力音量レベルＶｅｎｖがマイコン３９に供給されると、マイコン３９のＶｅｎｖ数値化処理部４０は、入力音量レベルＶｅｎｖの数値化処理を行う。このとき、Ｖｅｎｖ数値化処理部４０は、例えば、図６に示すように、入力音量レベルＶｅｎｖの計測波形を一定期間サンプリングし、安定化時の平均値６２に対してピーク６１を含んだ波形を算出に使用する。
【００２５】
次に、音声出力の電力値Ｗ算出部４１は、以下の数１式により、入力音量レベルＶｅｎｖ及びゲインＧｖｏｌ、Ｇａｍｐに基づいてスピーカ３７に対して音声出力される際の電力値Ｗを計算して予測する。ここでは、Ｒはスピーカ３７の抵抗値である。
【００２６】
［数１］
Ｗ＝Ｖｅｎｖ２×１０（Ｇｖｏｌ＋Ｇａｍｐ）１０／Ｒ
【００２７】
そして、音量上昇制御部４２は、電源オン時に予測されるスピーカ３７に対する音声出力の電力値Ｗに応じてゲインＧｖｏｌの上昇をテーブル制御により可変制御する。このとき、音量上昇制御部４２は、メモリ（ＥＥＰＲＯＭ）４３のユーザ音量値Ｖｕ保存部４４から音量レベル及び音声出力の電力値Ｗに対応したテーブルを読み出して、このテーブルの音量上昇率に従ってオーディオプロセッサ３５に対して音量制御４７を行うことによりゲインＧｖｏｌの上昇を可変制御して音量上昇を制御する。
【００２８】
なお、マイコン３９は、４８で示すスピーカ３７に対して音声出力するオーディオアンプ３６に対するミュート２の解除と、４６で示すその音声信号を入力するオーディオスイッチ３４に対するミュート１の解除との間に計測のための時間差を持たせる。そして、この計測期間に、オーディオアンプ３５の入力音量レベルＶｅｎｖの計測後の数値化処理を行い、音声出力の電力値Ｗを予測する。
【００２９】
なお、マイコン３９は、４５で示すオーディオスイッチ３４に対する入力スイッチ切換信号により、ＴＶ３１、ＶＣＲ３２及びＤＶＤ３３からの複数の音声信号のチャンネル及び入力切換を制御する。
【００３０】
上述した本実施の形態では、アナログ信号により入力音量レベルＶｅｎｖの計測を行う例を示したが、音声処理専用のデジタル信号処理IC等からのデータでも同様の機能が実現できる。
また、オーディオプロセッサ３５に対する入力音量レベルＶｅｎｖは、数秒間に渡って観測したピーク値を使用する。ここでは例えば、０．２秒毎に３秒間観測したピークを取ることとする。なお、上述した一連の制御動作は、電源をオンした後に、出力音量レベルがユーザ操作により設定されるユーザ音量値Ｖｕ（Ｇｖｏｌ）に至るまで連続して実行される。
【００３１】
次に、オーディオプロセッサ３５に対して音量制御４７を行うことによりゲインＧｖｏｌの上昇を可変制御して音量上昇の可変制御をする音量制御動作について説明する。
図２Ｂは、本発明の電源オン時のミュート２解除後の音量制御動作を示す図である。図２Ｂにおいて、Ｔ１１時点で電源オンになって、その後Ｔ１２時点でオーディオアンプ３６のミュート２が解除されると、ユーザ音量値Ｖｕに至るまで音声出力の電力値Ｗに応じた上昇率で音量レベルが上昇される。そして、２１で示すように、音量レベルが小さいときはカーブの上昇率が高いため比較的早くユーザ音量値Ｖｕｍｉｎまで到達するように制御される。また、２２で示すように、逆に音量レベルが大きいときはカーブの上昇率が低いため、Ｔ秒後のＴ１３時点で比較的遅くユーザ音量値Ｖｕｍａｘまで到達するように制御される。
【００３２】
このように、最終的なユーザ音量値Ｖｕに対する予測される音声出力の電力値Ｗに応じて、オーディオプロセッサ３５のゲインＧｖｏｌの上昇テーブルを切り換える。これにより、最終的なユーザ音量値Ｖｕに対して予測される音声出力の電力値Ｗが大きくなると、上昇率を下げるため傾斜のより緩いテーブルを選択するため、最終目標となるユーザ設定されたユーザ音量値Ｖｕまでの時間は音声出力の電力値Ｗが大きいほど長くなる。
【００３３】
図７は、ゲインＧｖｏｌの上昇を可変制御するテーブル制御例を示す図である。
図７において、電源オンになって、その後Ｔ０時点でオーディオアンプ３６のミュート２が解除されると、Ｔ２１時点では、７１に示すように、ａ％まで上昇制御中であり、Ｔ２２時点では、７２に示すように、ｂ（＞ａ）％まで上昇制御中である。そして、７３で示すように、Ｔｎ時点で目標とするユーザ音量値Ｖｕ（１００％）まで予測される音声出力の電力値Ｗに応じた上昇率で音量レベルが上昇される。なお、このとき、音量レベル上昇中に視聴者がマイコン３９に対してリモートコマンダーから音量キーを操作したときは、上昇制御を解除し、その時点の音量キーの操作による音量レベルで音声出力ができるようにする。
【００３４】
図８は、ゲインＧｖｏｌの上昇を可変制御するテーブル制御タイプ例を示す図である。
図８において、８１はユーザ音量値Ｖｕが小さいため比較的上昇率を高くして目標値に到達する弱い音声出力となる上昇制御を行うためのテーブルであり、８２はユーザ音量値Ｖｕが中程度のため上昇率を中程度にして目標値に到達する中程度の音声出力となる上昇制御を行うためのテーブルであり、８３はユーザ音量値Ｖｕが大きいため比較的上昇率を低くして目標値に到達する強い音声出力となる上昇制御を行うためのテーブルである。８１〜８３は、リニアな上昇制御を行うためのテーブルである。
ここでは、リニアな上昇制御を行うためのテーブル数は６種類程度とし、目標音量Ｖｕまでの時間は、最大１０秒程度を考慮する。
【００３５】
また、リニアな上昇制御以外のテーブルとして、以下に示すテーブルを用いて制御することも可能である。
８４はユーザ音量値Ｖｕに対して制御開始時から比較的上昇率を高くして目標値に到達する弱い音声出力となる上昇制御を行いながら、中盤から制御終了時にいくに従って徐々に比較的上昇率を低くして目標値に到達する強い音声出力となる上昇制御を行うためのテーブルである。逆に、８５はユーザ音量値Ｖｕに対して制御開始時から比較的上昇率を低くして目標値に到達する強い音声出力となる上昇制御を行いながら、制御終了時にいくに従って徐々に比較的上昇率を高くして目標値に到達する弱い音声出力となる上昇制御を行うためのテーブルである。また、８６はユーザ音量値Ｖｕに対して制御前半では比較的上昇率を低くして目標値に到達する強い音声出力となる上昇制御を一旦行った後に、制御後半では比較的上昇率を高くして目標値に到達する弱い音声出力となる上昇制御を行うためのテーブルである。８４〜８６は、任意の特性の上昇制御を行うためのテーブルである。
【００３６】
図４は、電源オン時の動作を示すフローチャートである。図４は、マイコン３９の処理を示すものである。
図４において、電源オンになると（ステップＳ１）、マイコン３９はメモリ（ＥＥＰＲＯＭ）４３のユーザ音量値Ｖｕ保存部４４に記憶されているユーザ音量値Ｖｕの読み出しを行う（ステップＳ２）。ユーザ音量値Ｖｕはオーディオプロセッサ３５のゲインＧｖｏｌに対応した値である。
【００３７】
ここで、マイコン３９はオーディオスイッチ３４に対する音源の入力切換後にミュート１の解除を行う（ステップＳ３）。
そして、エンベロープ検出回路３８から、計測した電源オン時のオーディオスイッチ３４からの音声信号の入力音量レベルＶｅｎｖがマイコン３９に供給されると、マイコン３９のＶｅｎｖ数値化処理部４０は、入力音量レベルＶｅｎｖの数値化処理を行う（ステップＳ４）。
【００３８】
次に、音声出力の電力値Ｗ算出部４１は、入力音量レベルＶｅｎｖ及びゲインＧｖｏｌ、Ｇａｍｐに基づいてスピーカ３７に対して音声出力される際の電力値Ｗを計算する（ステップＳ５）。
このとき、音量上昇制御部４２は、メモリ（ＥＥＰＲＯＭ）４３のユーザ音量値Ｖｕ保存部４４から音量レベル及び音声出力の電力値Ｗに対応したテーブルを読み出して、このテーブルの音量上昇率に従ってオーディオプロセッサ３５に対して音量制御４７を行う（ステップＳ６）。
【００３９】
続いて、マイコン３９は、スピーカ３７に対して音声出力するオーディオアンプ３６に対するミュート２の解除を行う（ステップＳ７）。ステップＳ３で示す音声信号を入力するオーディオスイッチ３４に対するミュート１の解除との間に計測のための時間差を持たせ、この計測期間にステップＳ５で示すオーディオアンプ３５の入力音量レベルＶｅｎｖの計測後の数値化処理をして音声出力の電力値Ｗを予測する。
【００４０】
そして、音量上昇制御部４２は、電源オン時に予測されるスピーカ３７に対する音声出力の電力値Ｗに応じてオーディオプロセッサ３５のゲインＧｖｏｌの上昇をテーブル制御により可変制御する（ステップＳ８）。
【００４１】
ここで、マイコン３９は、音量上昇中に視聴者がマイコン３９に対してリモートコマンダーから音量キーを操作したか否かを判断する（ステップＳ９）。ステップＳ９で音量キーを操作したときは、マイコン３９は、ステップＳ８の上昇制御を解除し、その時点の音量キーの操作による音量で音声出力ができるようにする（ステップＳ１０）。
【００４２】
ステップＳ９で音量キーを操作しないときは、マイコン３９は、ステップＳ８の上昇制御が完了したか否かを判断し（ステップＳ１１）、上昇制御中のときは、ステップＳ８へ戻って、ステップＳ８〜ステップＳ１１までの処理及び判断を繰り返し、ステップＳ８の上昇制御が完了したときは、処理を終了する（ステップＳ１２）。
【００４３】
次に、チャンネル、入力切換時の制御について説明する。
電源オン時以降のオーディオスイッチ３４におけるチャンネル切換または入力切換時では、連続して音声出力を行う必要があるという音声出力レスポンスの関係上、オーディオプロセッサ３５の入力音量レベルＶｅｎｖを計測することができない。そのため、オーディオプロセッサ３５のゲインＧｖｏｌの上昇を制御するテーブルは音声レベルに関係なく規定値のものを使用するが、入力種類によって使用するテーブルを変えようにする。例えば、ＶＣＲ３２及びＤＶＤ３３などの外部入力の場合は、同じ機器内のＴＶ３１などと異なり、過大な入力がされる可能性があるため、上昇カーブの緩いものを選択するようにする。
【００４４】
図５は、チャンネル切換時の動作を示すフローチャートである。図５は、マイコン３９の処理を示すものである。
図５において、チャンネル切換または入力切換があると（ステップＳ２１）、マイコン３９はメモリ（ＥＥＰＲＯＭ）４３のユーザ音量値Ｖｕ保存部４４に記憶されているユーザ音量値Ｖｕの読み出しを行う（ステップＳ２２）。ユーザ音量値Ｖｕはオーディオプロセッサ３５のゲインＧｖｏｌに対応した値である。
【００４５】
ここで、マイコン３９はオーディオスイッチ３４に対する音源の入力切換後にミュート１の解除を行う（ステップＳ２３）。
このとき、エンベロープ検出回路３８、Ｖｅｎｖ数値化処理部４０、音声出力の電力値Ｗ算出部４１は、いずれも動作しない。
【００４６】
また、このとき、音量上昇制御部４２は、メモリ（ＥＥＰＲＯＭ）４３のユーザ音量値Ｖｕ保存部４４からチャンネル切換または入力切換に対応した固定したテーブルを読み出して、このテーブルの音量上昇率に従ってオーディオプロセッサ３５に対して音量制御４７を行う（ステップＳ２４）。
【００４７】
続いて、マイコン３９は、スピーカ３７に対して音声出力するオーディオアンプ３６に対するミュート２の解除を行う（ステップＳ２５）。このとき、ステップＳ２３で示す音声信号を入力するオーディオスイッチ３４に対するミュート１の解除との間にテーブル選択のための時間差を持たせ、この選択期間にステップＳ５２４示すテーブルの選択をする。
【００４８】
そして、音量上昇制御部４２は、電源オン時に予測されるスピーカ３７に対する音声出力の電力値Ｗに応じてゲインＧｖｏｌの上昇をテーブル制御により可変制御する（ステップＳ２６）。
【００４９】
ここで、マイコン３９は、音量上昇中に視聴者がマイコン３９に対してリモートコマンダーから音量キーを操作したか否かを判断する（ステップＳ２７）。ステップＳ２７で音量キーを操作したときは、マイコン３９は、ステップＳ２６の上昇制御を解除し、その時点の音量キーの操作による音量で音声出力ができるようにする（ステップＳ２８）。
【００５０】
ステップＳ２７で音量キーを操作しないときは、マイコン３９は、ステップＳ２６の上昇制御が完了したか否かを判断し（ステップＳ２９）、上昇制御中のときは、ステップＳ２６へ戻って、ステップＳ２６〜ステップＳ２９までの処理及び判断を繰り返し、ステップＳ２６の上昇制御が完了したときは、処理を終了する（ステップＳ３０）。
【００５１】
上述したように、ユーザ音量値Ｖｕや入力音量レベルＶｅｎｖに偏りがあったとしても、音声出力の電力値Ｗの大きさに応じて音量レベルの上昇率が可変するように制御するため、これら条件の偏りに影響されない安定した音量上昇の特性による音声出力を行うことができる。このため、ユーザの聴感上、自然な制御が可能となるため、視聴環境が向上する。
【００５２】
また、音量レベルの上昇の傾斜の異なるテーブルを使用することで、ユーザ音量値Ｖｕの出力音量が大きい時はゆっくり立ち上がり、ユーザが音量キーを操作してユーザ音量の上昇を止められる時間的余裕を与えることができるため、視聴品質が向上する。
また、ユーザ音量値Ｖｕが小さな時は素早く立ち上がり、通常の使用状態での音声出力レスポンスを悪化させないため、音量レベルに応じて制御速度を分けることができる。
【００５３】
また、音量レベルの上昇率を制御するテーブルは任意の特性のテーブルが準備できるため、音声出力の電力値Ｗによってリニアな傾斜による上昇率のみでなく特性カーブも変化させることが可能である。
なお、この機能は、メニュー等で、使用したい場合のみ選択することができることはいうまでもない。
【００５４】
上述した本実施の形態に限らず、特許請求の範囲に記載された本発明の要旨の範囲内であれば、適宜、その構成を変更しうることは言うまでもない。
【図面の簡単な説明】
【００５５】
【図１】音声出力の電力値Ｗの予測のための信号処理を示す図である。
【図２】電源オン時のミュート解除後の音量制御動作を示す図であり、図２Ａは従来、図２Ｂは、本発明である。
【図３】音声出力の電力値Ｗの予測のための信号処理のブロック図である。
【図４】電源オン時の動作を示すフローチャートである。
【図５】チャンネル切換時の動作を示すフローチャートである。
【図６】入力音量レベルＶｅｎｖの計測波形を示す図である。
【図７】テーブル制御例を示す図である。
【図８】テーブル制御タイプ例を示す図である。
【符号の説明】
【００５６】
１…音声スイッチ、２，３…音声アンプ、４…スピーカ、１１…ミュート１、１２…ミュート２、１３…ミュート１に対するミュート２の解除遅延期間にVenvを計測、１４…入力音量レベルＶｅｎｖを計測、１５…音声出力の電力値ＷをＧｖｏｌ、ＧａｍｐＶｅｎｖより算出、２１…出力音量小のカーブ、２２…出力音量大のカーブ、３１…ＴＶ、３２…ＶＣＲ、３３…ＤＶＤ、３４…オーディオスイッチ、３５…オーディオプロセッサ、３６…オーディオアンプ、３７…スピーカ、３８…エンベロープ検出回路、３９…マイコン、４０…Ｖｅｎｖ数値化処理部、４１…音声出力の電力値Ｗ算出部、４２…音量上昇制御部、４３…メモリ（ＥＥＰＲＯＭ）、４４…ユーザ音量値Ｖｕ保存部
【図１】
0004626441.tif 000002
【図２】
0004626441.tif 000003
【図３】
0004626441.tif 000004
【図４】
0004626441.tif 000005
【図５】
0004626441.tif 000006
【図６】
0004626441.tif 000007
【図７】
0004626441.tif 000008
【図８】
0004626441.tif 000009